(57)【要約】      （修正有）【課題】従来、この種の棺桶の防臭装置は主として遺体の腐敗の進行を防止するためにドライアイスを用いたり冷却装置を設けて温度を下げることが行われているが、死臭が漂うことを食い止めることが出来なく苦渋している。【解決手段】棺桶の防臭装置は、棺桶Ａの長手方向の両側面と底面とに沿って両側壁１．１と底壁２を形成し、両側壁１．１と底壁２との内部に連通した空気流通部３を設け、空気流通部３に送風用ファン４と脱臭部５を内装すると共に、両側壁１．１の上方に噴射側開口部１ａと吸引側開口部１ｂとを形成して棺桶Ａの上面の上方にエアカーテン流６を形成したものであり、更に、両側壁１．１を透明部材で形成すると共に、底壁２に送風用ファン４と脱臭部５とを内装したものであり、更には、底壁２の下方にキャスター又はキャスター台７を備えた。【選択図】図１
0003138139.tif 000002
【実用新案登録請求の範囲】
【請求項１】
遺体を納棺した棺桶の防臭装置であって、前記棺桶の長手方向の両側面と底面とに沿って両側壁と底壁を形成し、該両側壁と底壁との内部に連通した空気流通部を設け、該空気流通部に送風用ファンと脱臭部を内装すると共に、前記両側壁の上方に噴射側開口部と吸引側開口部とを夫々形成して前記棺桶の上面の上方にエアカーテン流を形成したことを特徴とする棺桶の防臭装置。
【請求項２】
前記両側壁を透明部材で形成すると共に前記底壁に送風用ファンと脱臭部とを内装したことを特徴とする請求項１に記載の棺桶の防臭装置。
【請求項３】
前記底壁の下方にキャスター又はキャスター台を備えたことを特徴とする請求項１又は請求項２に記載の棺桶の防臭装置。
【考案の詳細な説明】
【技術分野】
【０００１】
本考案は棺桶の防臭装置に関するものであり、更に詳細には、遺体を納棺した棺桶から発生する死臭を雰囲気中に発散させることなく防臭する棺桶の防臭装置に関するものである。
【背景技術】
【０００２】
従来、この種の棺桶の防臭装置は主として遺体の腐敗の進行を防止するために大量のドライアイスを用いたり冷却装置を設けて温度を下げることが行われているが、死臭が漂うことは食い止めることが出来なく苦渋している実情である。
【０００３】
従来、例えば、開閉容器体１内に遺体９が納棺された棺Ｗを入れることができ、納棺状態のままの遺体ａを蒸発器８による冷気によって冷却保持することができ、遺体ａの腐敗を抑制することができ、また出棺の際には遺体ａを納棺した状態のまま棺を開閉容器体１から取り出すことができ、棺Ｗにドライアイスを入れたり出したりする必要がなくなり、使用し易いものや（特許文献１参照）や、上部が開口した棺桶本体１１と、棺桶本体１１の上に被さり、内側には冷却配管１２が設けられている冷却用蓋１３と、冷凍機３１を備え、冷凍機３１によって冷却される冷媒を冷却配管１２に供給する冷媒装置１４と、棺桶本体１１の上に被さり、火葬時には冷却用蓋１３と差し替えて使用する火葬用蓋１５とを有するものや（特許文献２参照）や、上部に載せた棺桶１１の底部１６と接触又は密着する冷却部材１２を有し、冷却部材１２からの直接の熱伝導によって棺桶１１の底部１６を冷却し、これによって棺桶１１内に収納されている遺体を冷却することができる。また、従来から使用されていた棺桶をそのまま使用することができるので、経済的であるもの（特許文献３参照）等が先に開示されている。
【特許文献１】特開平４−２４４１５３号公報
【特許文献２】特開２００３−２３０６１０号公報
【特許文献３】特開２００４−２６１１９９号公報
【考案の開示】
【考案が解決しようとする課題】
【０００４】
然し乍ら、特許文献１では、出棺の際には遺体ａを納棺した状態のまま棺を開閉容器体１から取り出すことができるものの、納棺状態のままの遺体ａを蒸発器８による冷気によって冷却保持して、遺体ａの腐敗を抑制することができるものであるが、蒸発器８による冷気によって冷却保持するものであるが、死臭の防臭は行われていないものであり、更に、特許文献２では、棺桶本体１１の上に被さる冷却用蓋１３に冷却配管１２を配設して、冷凍機３１によって冷却されるものであり、冷却はされるものの、死臭の防臭は行われていないものであり、更には、特許文献３では、従来から使用されていた棺桶をそのまま使用して、冷却部材１２からの直接の熱伝導によって棺桶１１の底部１６を冷却するものであるが、漂う死臭に対する対策は行われていないものである。
【課題を解決するための手段】
【０００５】
本考案は、前述の課題に鑑み、鋭意研鑽の結果、棺桶の長手方向の両側面と底面とに沿って両側壁と底壁を形成し、両側壁と底壁との内部に連通した空気流通部を設け、空気流通部に送風用ファンと脱臭部を内装すると共に、両側壁の上方に噴射側開口部と吸引側開口部とを形成して棺桶の上面の上方にエアカーテン流を形成したものであり、更に、両側壁を透明部材で形成すると共に底壁に送風用ファンと脱臭部とを内装したものであり、更には、底壁の下方にキャスター又はキャスター台を備えたものである。
【考案の効果】
【０００６】
本考案の棺桶の防臭装置は、棺桶の上面の上方にエアカーテン流を形成して、空気流通部に送風用ファンと脱臭部を内装したことにより、死臭が雰囲気中に漂うことなく、また、エアカーテン流を形成したまま仏様に花や遺品等を添えることも顔を尊したりすることも自在に可能なもので、更に、両側壁を透明部材で形成したことによって、棺桶の側面も目視させることを可能とし、更には、底壁にキャスター又はキャスター台を備えたことにより、そのまま移動することを可能とするもので、画期的で実用性の高い考案である。
【考案を実施するための最良の形態】
【０００７】
以下、本考案の棺桶の防臭装置の実施例の図面によって具体的に説明すると、図１は本考案の棺桶の防臭装置の概要を説明するための概要説明図である。
【０００８】
本考案は棺桶の防臭装置に関するものであり、更に詳細には、遺体を納棺した棺桶から発生する死臭を雰囲気中に発散させることなく防臭する棺桶の防臭装置に関するものであり、請求項１に記載の棺桶の防臭装置は、遺体を納棺した棺桶の防臭装置であって、前記棺桶Ａの長手方向の両側面と底面とに沿って両側壁１．１と底壁２を形成し、該両側壁１．１と底壁２との内部に連通した空気流通部３を設け、該空気流通部３に送風用ファン４と脱臭部５を内装すると共に、前記両側壁１．１の上方に噴射側開口部１ａと吸引側開口部１ｂとを夫々形成して前記棺桶Ａの上面の上方にエアカーテン流６を形成したことを特徴とするものである。
【０００９】
更に、請求項２に記載の棺桶の防臭装置は、請求項１に記載の棺桶の防臭装置において、前記両側壁１．１を透明部材で形成すると共に、前記底壁２に送風用ファン４と脱臭部５とを内装したことを特徴とするものである。  
【００１０】
更には、請求項３に記載の棺桶の防臭装置は、請求項１又は請求項２に記載の棺桶の防臭装置において、前記底壁２の下方にキャスター又はキャスター台７を備えたことを特徴とするものである。
【実施例】
【００１１】
即ち、本考案の棺桶の防臭装置に用いる棺桶Ａは、従来から一般的に用いられている仰向けに寝させた状態の遺体を納棺したもので、縦長状の箱体であり、上面には尊顔ができるように窓部を設けた蓋板が乗載されているものあり、遺体を腐敗を遅らせるようにドライアイス等を内装しているものである。
【００１２】
そして、両側壁１．１は棺桶Ａの長手方向の両側面に沿って形成されており、棺桶Ａの両側面の高さより稍高く形成されているもので、底壁２は棺桶Ａの底面の下面に敷設されているものであり、両側壁１．１と底壁２とは横断面コ字状に接続されて形成されているものである。
【００１３】
次に、空気流通部３は横断面コ字状に接続されている両側壁１．１と底壁２との夫々の内部に連通させて形成しているものであり、後述する噴射側開口部１ａと吸引側開口部１ｂとを防臭装置の内部で連通させているものである。
【００１４】
次には、送風用ファン４と脱臭部５とは空気流通部３に内装するもので、送風用ファン４は送風することにより後述するエアカーテン流６を形成する空気の循環系を形成するものであり、脱臭部５には脱臭剤が充填させており空気を通過させることによって脱臭をするものである。
【００１５】
次いで、エアカーテン流６は棺桶Ａの上面の上方に形成されるもので、一方の側壁の上方に形成した噴射側開口部１ａと他方側壁の上方に形成した吸引側開口部１ｂとの間に前記送風用ファン４によりエア流を形成してエアカーテン流６とするもので、流速は０．５〜１０ｍ／ｓｅｃが好適なものである。
【００１６】
更に、次実施例では、近年では一般的な棺桶Ａでは満足しないで棺桶Ａに豪華な装飾を施す遺族も見受けられることから、両側壁１．１をガラスやアクリル樹脂等の透明部材で形成するものであり、この場合、送風用ファン４と脱臭部５とは底壁２に内装するものである。
【００１７】
更には、他の実施例では、棺桶Ａの底壁２の下方にキャスター又はキャスター台７を備えたもので、棺桶Ａごと移動を容易にしたもので、底壁２に直接４つのキャスターを取着しても、キャスターを備えたキャスター台を備えても構わないものである。
【００１８】
本考案の棺桶の防臭装置は、両側壁１．１の間に棺桶Ａを摺動させて載置させ、送風用ファン４を駆動させることにより両側壁１．１の上方に形成した噴射側開口部１ａと吸引側開口部１ｂとの間にエアカーテンが形成されるもので、棺桶Ａから発散される死臭はエアカーテンによって吸引側開口部１ｂに吸引され、吸引側開口部１ｂから空気流通部３に流入した空気流は脱臭部５を通過することで脱臭されるものである。
【００１９】
そして、棺桶Ａの出棺の場合は両側壁１．１の間から棺桶Ａを引き抜いて移動することができるもので、防臭装置は繰り返し何度でも使用できるものである。
【産業上の利用可能性】
【００２０】
本考案の棺桶の防臭装置は、棺桶を通夜や告別式等に好適に使用できるもので、棺桶から発散する死臭を防臭するものである。
【図面の簡単な説明】
【００２１】
【図１】図１は本考案の棺桶の防臭装置の概要を説明するための概要説明図である。
【符号の説明】
【００２２】
１      両側壁
１ａ    噴射側開口部
１ｂ    吸引側開口部
２      底壁
３      空気流通部
４      送風用ファン
５      脱臭部
６      エアカーテン流
７      キャスター又はキャスター台
Ａ      棺桶
【図１】
0003138139.tif 000003